(57)【要約】【課題】誘導加熱装置で常温または冷却状態から適温に加熱される商品の種類やサイズなどにかかわらず、加熱開始から終了までの時間を、適切に表示部に画像表示することで利用者を無用に待たせることなく販売できる誘導加熱装置を備えた自動販売機を提供する。【解決手段】誘導加熱装置１００で加熱中に加熱動作をイメージした画像データ７０４ａを表示する表示部７０４と、あらかじめ設定された画像データを表示部７０４へ送信する制御部５０１とを備え、画像データ番号が付与されて制御部５０１に記憶されており、加熱中は、制御部から送信される画像データが画像データ番号順に表示部７０４に表示され、加熱動作が終了すれば、画像データ番号を途中で省略して、画像データの最終番号に対応する最終画像データを表示部に表示し搬出されるものである。【選択図】図４
2008282115.tif 000002
【特許請求の範囲】
【請求項１】
本体側に設けられて缶商品を収納する商品収納室と、扉側に設けられて商品を選択する商品選択手段と、前記商品選択手段で選択された商品が搬出される商品取出口と、前記商品収納室に収納された前記商品を受け入れて電磁誘導加熱方式により前記缶商品を加熱する誘導加熱装置と、前記誘導加熱装置で加熱中に加熱動作をイメージした画像データを表示する表示部と、あらかじめ設定された画像データを前記表示部へ送信する制御部とを備え、前記画像データには順番に表示されるように画像データ番号が付与されて前記制御部に記憶されており、前記誘導加熱装置による加熱中は、前記制御部から送信される前記画像データが画像データ番号順に前記表示部に表示され、前記誘導加熱装置による加熱動作が終了すれば、前記画像データ番号を途中で省略して、前記画像データの最終番号に対応する最終画像データを前記表示部に表示し、前記商品取出口へ搬出されることを特徴とする自動販売機。
【請求項２】
本体側に設けられて商品を収納する商品収納室と、扉側に設けられて商品を選択する商品選択手段と、前記商品選択手段で選択された商品が搬出される商品取出口と、前記商品収納室に収納された前記商品を受け入れて誘導加熱方式により加熱し、温度検知手段によって適温に加熱する誘導加熱装置と、前記誘導加熱装置で加熱開始から加熱終了までの加熱時間をもとにイメージした画像を表示する加熱時間表示部とを備え、前記商品選択手段で選択された前記商品が前記誘導加熱装置で加熱されるとき、前回販売された商品の加熱時間を前記加熱時間表示部に画像表示して、前記温度検知手段による今回の加熱時間は、次回商品が前記今回商品と同じ種類の商品であれば、前記次回商品が加熱される時に、前記今回の加熱時間を前記加熱時間表示部に画像表示として設定することを特徴とする自動販売機。
【請求項３】
商品が加熱されるときの加熱時間表示部に表示される画像表示は、今回の前記商品に対する加熱時間を除き、前記商品の前回販売時から遡って複数回販売時の加熱時間のうちの最大値を前記画像表示の設定とすることを特徴とする請求項２に記載の自動販売機。
【請求項４】
加熱時間表示部に表示される画像表示が加熱時間終了前になった時、温度検知手段による検知を優先し、前記温度検知手段による検知によって加熱終了となった時点で、前記温度検知手段による加熱終了の信号を前記加熱時間表示部へ送信して、加熱時間終了を表す画像表示を行うことを特徴とする請求項２または３に記載の自動販売機。
【請求項５】
加熱時間表示部に表示される画像データが加熱時間終了前に、格納しているすべてのデータを表示した場合は、温度検知手段によって検出した温度が、適温になるまで、最終の画像データを繰り返し表示し、温度検知手段による検知を優先し、前記温度検知手段による検知によって加熱終了となった時点で、前記温度検知手段による加熱終了の信号を前記加熱時間表示部へ送信して、加熱時間終了の画像表示を行うことを特徴とする請求項１記載の自動販売機。
【発明の詳細な説明】
【技術分野】
【０００１】
本発明は、誘導加熱装置を備えた自動販売機の表示に関するものである。
【背景技術】
【０００２】
従来、自動販売機において、ディスプレイなどの表示器を飲料消費者側に向けて自動販売機の状態などを表示するものがある。（例えば、特許文献１参照）
図１０は、特許文献１に記載された従来の自動販売機の画像表示に係るブロック図である。
【０００３】
主制御部１によって現在の状態が待ち受け状態と待機状態と販売状態の何れにあるかを判別し、判別された状態で表示すべき画像データを特定するための画像コードを含む画像表示指示を表示制御部２に送出すると共に、表示制御部２によって画像表示指示に従って指示された画像コードに対応する画像データを画像データ記憶部２ａ、外部記憶装置３、ＤＶＤドライブ４のＤＶＤメディアの何れかから読み出し、読み出した画像データに基づく画像を画像表示器５に表示する。
【０００４】
つまり、自動販売機の現在の状態を適切に判別し、判別された現在の状態に応じた適切な画像表示を画像表示器５で行える。
【０００５】
【特許文献１】特開２００６−１７１８４７号公報
【発明の開示】
【発明が解決しようとする課題】
【０００６】
しかしながら、上記従来の構成では、自動販売機の現在の状態が販売状態にあるとき、すなわち商品購入操作開始からカップに飲料が注入されて搬出されるまでの間は、カップの搬送および搬出工程、飲料注入工程の各工程の動作時間で利用者の待ち時間は決まり、どの飲料種類の場合でも利用者の待ち時間はほぼ一定であり、商品の種類やサイズによって販売状態の時間は大きく変わることはなく、待ち時間を予測できるものであります。
【０００７】
ところで、自動販売機で搬出される商品には、加温劣化などの理由により、収納室内では常温程度に維持し、利用者が購入操作をした時にはじめて、適温に加温して搬出する自動販売機が求められている。このような自動販売機の場合、商品購入操作が開始されてから販売が完了するまでの時間、すなわち商品が搬出されて常温または冷却された状態から約５０〜５５℃に加温するまでの時間は商品の中身飲料の種類やサイズまたは商品容器の材質によって適温までの加熱時間が変わるので、待ち時間を簡単には予測できず、この間に画像データを表示して商品の出来上がり時間をイメージした表示を行っても、商品によって待ち時間が異なるため商品の販売完了（商品搬出）に適合した画像データを表示できるとは言い難い。
【０００８】
本発明は、上記従来の課題を解決するもので、特に自動販売機内で冷却または常温に維持された状態で、商品購入操作によって適温に加熱して搬出する動作を行うもので、この間に適切な画像表示を行うことで利用者に商品の加熱状態を適切に知らせる自動販売機を提供することを目的とする。
【０００９】
さらに具体的には、誘導加熱装置を使って飲料を加熱販売する場合において、飲料加熱開始から利用者が飲料を取り出すまでの工程と同期させた違和感のない表示を行うことができ、利用者にデマンド加熱での待ち時間に対する不安を緩和する表示方法を備えた自動販売機を提供することを目的としている。
【課題を解決するための手段】
【００１０】
上記従来の課題を解決するために、本発明の自動販売機は、本体側に設けられて缶商品を収納する商品収納室と、扉側に設けられて商品を選択する商品選択手段と、前記商品選択手段で選択された商品が搬出される商品取出口と、前記商品収納室に収納された前記商品を受け入れて電磁誘導加熱方式により前記缶商品を加熱する誘導加熱装置と、前記誘導加熱装置で加熱中に加熱動作をイメージした画像データを表示する表示部と、あらかじめ設定された画像データを前記表示部へ送信する制御部とを備え、前記画像データには順番に表示されるように画像データ番号が付与されて前記制御部に記憶されており、前記誘導加熱装置による加熱中は、前記制御部から送信される前記画像データが画像データ番号順に前記表示部に表示され、前記誘導加熱装置による加熱動作が終了すれば、前記画像データ番号を途中で省略して、前記画像データの最終番号に対応する最終画像データを前記表示部に表示し、前記商品取出口へ搬出されるものである。
【００１１】
これによって、商品によって加熱時間が異なる場合でも、設定された画像データを見ながら商品の搬出されるタイミングを知ることができるので加熱待ち時間に対する不安を緩和するとともに、搬出終了を知らせることができる。
【００１２】
また、本発明の自動販売機は、本体側に設けられて商品を収納する商品収納室と、扉側に設けられて商品を選択する商品選択手段と、前記商品選択手段で選択された商品が搬出される商品取出口と、前記商品収納室に収納された前記商品を受け入れて誘導加熱方式により加熱し、温度検知手段によって適温に加熱する誘導加熱装置と、前記誘導加熱装置で加熱開始から加熱終了までの加熱時間をもとにイメージした画像を表示する加熱時間表示部とを備え、前記商品選択手段で選択された前記商品が前記誘導加熱装置で加熱されるとき、前回販売された商品の加熱時間を前記加熱時間表示部に画像表示して、前記温度検知手段による今回の加熱時間は、次回商品が前記今回商品と同じ種類の商品であれば、前記次回商品が加熱される時に、前記今回の加熱時間を前記加熱時間表示部に画像表示として設定するものである。
【００１３】
これによって、商品の加熱時間の表示を、前回加熱された同じ商品の加熱時間を代用して表示することで、加熱表示時間の誤差を低減し、ほぼ正確な画像表示で利用者に知らせることができる。
【発明の効果】
【００１４】
本発明の自動販売機は、誘導加熱装置を使って飲料を加熱販売する場合において、飲料加熱開始から飲料消費者が飲料を取り出すまでの工程と同期させた違和感のない表示を行うことができ、飲料消費者にデマンド加熱での待ち時間に対する不安を緩和することができる。
【発明を実施するための最良の形態】
【００１５】
請求項１に記載の発明は、本体側に設けられて缶商品を収納する商品収納室と、扉側に設けられて商品を選択する商品選択手段と、前記商品選択手段で選択された商品が搬出される商品取出口と、前記商品収納室に収納された前記商品を受け入れて電磁誘導加熱方式により前記缶商品を加熱する誘導加熱装置と、前記誘導加熱装置で加熱中に加熱動作をイメージした画像データを表示する表示部と、あらかじめ設定された画像データを前記表示部へ送信する制御部とを備え、前記画像データには順番に表示されるように画像データ番号が付与されて前記制御部に記憶されており、前記誘導加熱装置による加熱中は、前記制御部から送信される前記画像データが画像データ番号順に前記表示部に表示され、前記誘導加熱装置による加熱動作が終了すれば、前記画像データ番号を途中で省略して、前記画像データの最終番号に対応する最終画像データを前記表示部に表示し、前記商品取出口へ搬出されるものである。
【００１６】
これによって、誘導加熱装置を使って飲料を加熱販売する場合において、飲料加熱開始から利用者が飲料を取り出すまでの工程と同期させた違和感のない表示を行うことができる。
【００１７】
請求項２に記載の発明は、本体側に設けられて商品を収納する商品収納室と、扉側に設けられて商品を選択する商品選択手段と、前記商品選択手段で選択された商品が搬出される商品取出口と、前記商品収納室に収納された前記商品を受け入れて誘導加熱方式により加熱し、温度検知手段によって適温に加熱する誘導加熱装置と、前記誘導加熱装置で加熱開始から加熱終了までの加熱時間をもとにイメージした画像を表示する加熱時間表示部とを備え、前記商品選択手段で選択された前記商品が前記誘導加熱装置で加熱されるとき、前回販売された商品の加熱時間を前記加熱時間表示部に画像表示して、前記温度検知手段による今回の加熱時間は、次回商品が前記今回商品と同じ種類の商品であれば、前記次回商品が加熱される時に、前記今回の加熱時間を前記加熱時間表示部に画像表示として設定するものである。
【００１８】
これによって、同一収納室の商品を加熱する場合であれば、画像表示の表示遷移をよりスムーズに表示して利用者に待ち時間を知らせることができる。
【００１９】
請求項３に記載の発明は、請求項２に記載の発明にさらに、商品が加熱されるときの加熱時間表示部に表示される画像表示は、今回の前記商品に対する加熱時間を除き、前記商品の前回販売時から遡って複数回販売時の加熱時間のうちの最大値を前記画像表示の設定とするものである。
【００２０】
これによって、さらに今回加熱される商品の加熱時間表示において、加熱時間の画像表示を利用者が見たときに、表示状態から利用者が無用に待たされるのを低減することができる。
【００２１】
請求項４に記載の発明は、請求項２または３に記載の発明に、加熱時間表示部に表示される画像表示が加熱時間終了前になった時、温度検知手段による検知を優先し、前記温度検知手段による検知によって加熱終了となった時点で、前記温度検知手段による加熱終了の信号を前記加熱時間表示部へ送信して、加熱時間終了を表す画像表示を行うもので、加熱終了前の表示から加熱終了の画像表示に遷移するので、利用者は画像表示を見ながら商品の加熱終了を知ることができ、商品取出し口を常に意識して待つ必要がなく不安感を緩和することができる。
【００２２】
請求項５に記載の発明は、請求項１に記載の発明にさらに、加熱時間表示部に表示される画像データが加熱時間終了前に、格納しているすべてのデータを表示した場合は、温度検知手段によって検出した温度が、適温になるまで、最終の画像データを繰り返し表示し、温度検知手段による検知を優先し、前記温度検知手段による検知によって加熱終了となった時点で、前記温度検知手段による加熱終了の信号を前記加熱時間表示部へ送信して、加熱時間終了の画像表示を行うものである。
【００２３】
これによって、利用者に加熱終了状態が近いことを画像データを通じて知らせることができる。
【００２４】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２５】
（実施の形態１）
図１は、本発明の実施の形態１の自動販売機の斜視図である。図２は、同実施の形態の自動販売機の縦断面図である。図３は、本発明の実施の形態１の自動販売機における外扉の裏面斜視図である。図４は自動販売機の制御ブロック図である。図５は自動販売機の表示部に画像表示される画像データの概略図である。図６は表示部に画像データが表示されるフローを示す図である。図７は加熱時間表示部に画像表示される画像データの概略図である。図８は加熱時間表示部に画像データが表示されるフローを示す図である。
【００２６】
図１、２において、自動販売機本体１１内には複数の商品収納室１１ａが区画構成されて種々の缶商品１８がそれぞれ収納されている。自動販売機本体１１の前面開口部には外扉１２が配置されている。外扉１２の上部に商品サンプル展示室１３、その下方に商品の広告などを掲示する広告パネル室１４と金銭投入部１５が横並びに備えられ、外扉１２の下部には選択された商品１８を排出する商品取出口１６が備えられている。そして商品取出口１６と隣り合わせに缶商品の誘導加熱装置１７が設置され商品収納室１１ａの下部から商品１８を受け入れるように関連づけられている。そして、誘導加熱装置１７の商品排出側は商品取出口１６と連通し、缶商品の誘導加熱装置１７で加熱された飲料等の流動性内容物に代表される缶商品１８は商品取出口１５から取り出せるように形成されている。
【００２７】
また、誘導加熱装置１７の高さ方向の配置位置に関しては、特に商品取出口１６よりも下方の位置に配置されるように構成されている。すなわち、上から順に商品収納室１１ａの商品を排出する下端部、商品取出口１６の商品の落下する底部、誘導加熱装置１７の商品が載置される下端部、という高さ方向の配置関係となっている。
【００２８】
また、誘導加熱装置１００の左右方向の配置位置に関しては、硬貨を回収するコイン回収箱５０３と商品取出口１６との間に構成されている。
【００２９】
また通常、自動販売機の商品収納室１１ａは多種の商品や保温商品や保冷商品を区分けして収納するために左右方向に複数列備えられているが、誘導加熱装置１７はこの複数列の商品収納室１１ａのうち、少なくとも左右のいずれかの最端列の缶商品１８を受け入れるように、外扉１２の商品取出口１６左右端部の外側の下方空間に配置されている。
【００３０】
商品取出口１６は、商品購入者の取り出し性を高めて腰を屈める負担を軽減するために通常、外扉１２の最下部にレイアウトせず、それよりも上部の適所に配置構成されるために、通常、商品取出口１６の下方にいわゆるデッドスペースとなる空間が存在するものである。
【００３１】
そして、このデッドスペースとなる空間内をほぼ活用して配置される誘導加熱装置１７は、缶商品１８の排出側が上向きとなるような傾斜姿勢で配置される。したがって、誘導加熱装置１７内から商品取出口１６内に缶商品１８を排出するためには缶商品１８の自重に抗して移動させる排出機構を別途必要としている。
【００３２】
図１において、自動販売機本体１１の前面開口部には外扉１２が配置されている。外扉１２の構成について説明する。
【００３３】
外扉１２の上部には商品サンプル展示室１３、その下方に商品の広告などを掲示する広告パネル室１４と金銭投入部１５が横並びに備えられ、外扉１２の下部には選択された商品１８を排出する商品取出口１６が備えられている。そして外扉１２の裏面側に商品取出口１６と隣り合わせに缶商品の誘導加熱装置１００が設置され、実施の形態１と同様に商品収納室１１ａの下部から商品１８を受け入れるように関連づけられている。そして、誘導加熱装置１００の商品排出側は商品取出口１６と連通し、缶商品の誘導加熱装置１００で加熱された飲料等の流動性内容物に代表される缶商品１８は商品取出口１６から取り出せるように形成されている。
【００３４】
誘導加熱装置１００は図３のように缶商品の長手方向の受容状態は斜め配置で、商品取出口１６側が他側よりも上方になる状態で維持されて、誘導加熱装置１００内で加熱運転される。
【００３５】
商品サンプル展示室１３内は、上部に冷却専用の商品サンプル展示部１３ａ、下部に誘導加熱装置１００によって加熱可能な商品サンプル展示部１３ｂが上下に区画板８００によって区画形成され展示されている。商品サンプル展示部１３ａは従来と同様のサンプル構成であり、１つの商品サンプルに対応して１つの商品選択ボタン８０１が構成されている。
【００３６】
また商品サンプル展示部１３ｂには、展示されている商品サンプル８０２の商品が、誘導加熱方式により加熱されるため、通常よりしばらく時間がかかる旨等の表示部８０３が区画板８００に掲載されている。
【００３７】
そして商品サンプル８０２の下方には、１つの商品サンプル８０２に対応した商品選択ボタン８０４ａ，８０４ｂの２つの商品選択ボタンが構成されている。具体的には商品選択ボタン８０４ａは販売温度の設定が約５５℃の高温設定で「あつめ」表示され、商品選択ボタン８０４ｂは販売温度の設定が約５０℃の低温設定で「ぬるめ」表示されて構成されている。
【００３８】
また商品サンプル展示部１３ｂの商品サンプル８０２は、商品サンプル展示部１３ａの商品サンプルとは異なって、平面的なカード状に構成された商品サンプル８０２であり、利用者に商品サンプル展示部１３ｂの商品が、商品サンプル展示部１３ａの商品とは異なり、誘導加熱方式による加熱であることをアピールできるように構成されている。
【００３９】
また商品サンプル８０２の側部には画像を表示する表示部７０４が備えられ、現在の状態が待ち受け状態あるいは加熱販売状態のいずれにあるかを判別して表示する画像データを区別して表示される。
【００４０】
また表示部７０４の下部には加熱時間表示部７０５が備えられており、現在の状態が待ち受け状態あるいは加熱販売状態のいずれにあるかを判別して表示する画像を区別して表示している。
【００４１】
誘導加熱装置１００には後述する非接触式温度検知手段１１０が配置され、非接触式温度検知手段１１０によって、缶商品１８の表面温度を検知して、中身飲料温度を推定し、推定された中身飲料温度が販売設定温度になった時の缶表面温度が特定された温度になったときに、非接触式温度検知手段１１０からの信号が後述する商品誘導加熱制御部５０２に入力され、誘導加熱コイル１０２への通電を停止する。
【００４２】
次に、自動販売機本体１１内における誘導加熱装置１００の配置構成について述べると、高さ方向の配置関係は上述のとおり、誘導加熱装置１００の缶商品１８が載置される下端部は商品取出口１６の底部よりも下方に位置し、概ね誘導加熱装置１００は商品取出口１６の下方に通常存在する外扉１２の空間スペースを活用して配置できるようにしている。
【００４３】
商品取出口１６は、商品購入者の取り出し性を高めて腰を屈める負担を軽減するために通常、外扉１２の最下部にレイアウトせず、それよりも上部の適所に配置構成されるために、通常、商品取出口１６の下方にいわゆるデッドスペースとなる空間が存在するものである。
【００４４】
そして、このデッドスペースとなる空間内をほぼ活用して配置される誘導加熱装置１００は、缶商品１８の排出側が上向きとなるような傾斜姿勢で配置される。したがって、誘導加熱装置１００内から商品取出口１６内に缶商品１８を排出するためには缶商品１８の自重に抗して移動させる排出機構を別途必要としている。
【００４５】
また商品誘導加熱制御部５０２も商品取出口１６の下方にいわゆるデッドスペースとなる空間内を活用して配置され、また誘導加熱装置１００の近傍に配置されるので、高電圧部間の距離を短く構成でき、安全性を高めることができる。
【００４６】
以上のように構成された誘導加熱装置１００について、以下その動作、作用を説明する。
【００４７】
利用者が、商品選択ボタン８０４ａを押して、ホット商品を「あつめ」指定すると、自動販売機全体を制御する主制御部５０１によって、自動販売機本体１１内に商品が劣化しない約３５℃程度にプレヒートされた缶商品１８の搬出を行い、誘導加熱装置１００へ搬送される。そして主制御部５０１から商品誘導加熱制御部５０２へ、選択された「あつめ」の５５℃の設定温度情報が入力され、誘導加熱装置１００へ通電されて、姿勢制御部材（図示しない）を動作させて、缶商品１８の受容状態が倒置姿勢であるかどうかを確認し、姿勢制御部材が初期位置に戻ったことを検知して、誘導加熱コイル１０２へ通電を行い、缶商品１８を自転回転させる下部ローラ１０３を回転駆動させて加熱動作を開始する。そして後述する非接触式温度検知手段１１０によって缶商品１８の温度を検知し、設定温度になれば、誘導加熱コイル１０２への通電を停止し、加熱動作を停止する。
【００４８】
加熱する商品はコーヒーなどの飲料缶商品や、コーヒーよりも液体粘度の高いコーンスープ、またおでんや味噌汁など固体が混入した缶商品も販売できるものであり、缶商品内の食材によって加熱時間はそれぞれ異なる。また同じ飲料商品でも内容量サイズの異なる場合や容器材料の違いにおいても加熱時間は変わってしまうので、利用者が選択した商品によって加熱終了までの待ち時間は長くなったり短くなったりするため、いつ商品が搬出されてくるのか不安感を与えることになる。
【００４９】
したがって利用者が商品選択操作を行ってから加熱された商品が搬出されるまでの販売動作状態がどのような状態かを表示部７０４には連続性のあるアニメーション画像で表示し、加熱時間表示部７０５には加熱状態を加熱が初期状態にあるのか、終了間際なのかなどをイメージ的に表示して、表示部７０４もしくは加熱時間表示部７０５を見ているだけで、販売状態を確認することができる。
【００５０】
したがって、利用者は商品選択ボタン８０４ａの操作のみを行うだけで、好みの温度に缶商品１８を設定できるので、商品選択ボタン８０４ａの操作から加熱動作までの時間を短縮することができ、利用者を不要に待たせることを防止することができ、利用者の操作性も簡素化できる。
【００５１】
そして、表示部７０４と加熱時間表示部７０５の表示と実際の誘導加熱装置１００での加熱動作との関係を説明する。
【００５２】
まず利用者が商品選択ボタン８０４ａを押圧してホット商品を購入するときの全体的な制御動作を説明すると、図４のように、表示部７０４および加熱時間表示部７０５の動作は、商品選択ボタン８０４が押圧されると、その信号が主制御部５０１に送られ、これを受けて主制御部５０１は商品誘導加熱制御部５０２へ誘導加熱装置１７を駆動させるように指令を出す。また主制御部５０１は、同時に表示部７０４および加熱時間表示部７０５の表示装置制御部７１０へ指令を送り、加熱販売状態時になったことを表示装置制御部７１０のインターフェイス部７１０ａに指令し、これを受けて表示部７０４に加熱販売状態時に表示するデータをデータＡ記憶部７０４ａから送信し表示部７０４に画像が表示され、同様にデータＢ記憶部７０５ａから加熱時間表示部７０５へデータを送信し加熱販売状態時の表示を行っている。
【００５３】
そして、図６のように商品選択ボタン８０４が押圧されると（Ｓ１）、主制御部５０１は画像データの配列番号０を設定し（Ｓ２）、表示部７０４は主制御部５０１から配列番号を送信され、タイマーに０をセット（Ｔａ＝０）する（Ｓ３）。表示部７０４には加熱開始時の表示となる配列番号０の画像表示が表示される。表示装置７１０のインターフェイス部７１０ａを介して加熱販売時に設定された画像を表示するようにする。図５で示すように、表示する画像データには配列番号が付与されており、例えば配列番号が０から１００番まで設けられ、各配列番号内の表示は１０コマで完結するもので、配列番号０から１００番まで順番に通すとストーリー性のある構成となっている。また1コマの表示時間ｔ（ｓ）とし、配列番号を指定するとコマ１からコマ１０まで順次表示する。
【００５４】
実施例の場合、ｔ＝０．２（ｓ）と設定し、１〜１０コマ表示で２（ｓ）間表示することになる。そしてＴａ＝２（ｓ）経過すると（Ｓ４）、配列番号を＋１にして（Ｓ５）、加熱進捗状態に応じて順次、主制御部５０１は配列番号を上げて表示装置７１０に向けて伝送していく。
【００５５】
そして、例えば誘導加熱装置１００で加熱中の商品に対応して表示部７０４には配列番号５０番目の画像が表示されている時に（Ｓ７）、非接触式温度検知手段１１０による温度検知により設定温度に達した場合は（Ｓ８）、非接触式温度検知手段１１０の信号を主制御部５０１が受けて、配列番号５０番目の画像動作中に、主制御部５０１は加熱終了の配列番号である配列番号１００番目の表示指令を表示装置７０４へ伝送して（Ｓ９）、配列番号５０番目の１０コマ表示が終了すれば次に配列番号１００番目の画像を表示し、表示部７０４を通じて利用者に加熱終了の表示を知らせる（Ｓ１０）。
【００５６】
また、缶商品の種類やサイズによって加熱時間が長引き、配列番号９９番目の表示中において、商品が設定温度に達したと主制御部５０１に指令がない場合は、配列番号９９番目の表示を繰り返し行う。
【００５７】
そして非接触式温度検知手段１１０によって設定温度が検知されれば、上記のように配列番号１００番目の画像を表示し、表示部７０４を通じて利用者に加熱終了の表示を知らせる。
【００５８】
このように、表示部７０４に表示され加熱進捗をイメージした連続性のあるアニメーションを見ながら商品の加熱状態を知ることができ、また非接触式温度検知手段１１０の検知温度が設定温度に達したら、その信号をもとに主制御部５０１が加熱完了をイメージした画像を表示部７０４に伝送するので、加熱する商品によって加熱時間が異なる場合でも、商品の加熱進捗に合わせて画像を表示部７０４に表示するので利用者に状態を認識させながら待たせるので、不安感を低減させることができる。
【００５９】
加熱時間表示部７０５の表示は、図７のように点灯あるいは点滅するインジケータ７０５ｂを複数備え、実施例の場合はインジケータ０〜２９まである。また主制御部５０１からインジケータ番号に応じて伝送される信号はイメージ番号０（加熱開始時）〜イメージ番号２９とイメージ番号３０（加熱完了時）まで設けられている。
【００６０】
誘導加熱装置１００による加熱時間Ｔ（ｓ）は、主制御部５０１において自動販売機１１で販売する商品収納室１１ａごとに記憶されている。
【００６１】
主制御部５０１では、インジケータ１個あたりの点滅時間を加熱時間Ｔ／２９（インジケータの数）の演算を行い、インジケータ１を点滅させるためにイメージ番号１を表示装置７１０に伝送する。主制御部５０１からイメージ番号１を受信した表示装置７１０は、インジケータ１を点滅するプログラムを呼び出し加熱時間表示部７０５に表示させる。
【００６２】
利用者が商品選択ボタン８０４ａを操作すると（Ｓ２０）、対応する商品収納室１１ａから商品が搬出され、誘導加熱装置１００に導かれ、加熱運転が開始される。このとき主制御部５０１は、商品選択釦８０４ａの押圧動作を受けて記憶部から選択された商品と同一商品収納室１１ａの前回の加熱時間を呼出し、今回選択された商品の加熱時間（予測時間）として設定し、インジケータ１個あたりの点滅時間を上記のように演算（Ｔｂ＝ｂ秒）する（Ｓ２１）。
【００６３】
そして、主制御部５０１はイメージ番号０を記憶部から設定し（Ｓ２２）、加熱開始状態になったことを表示装置７１０へイメージ番号０を送信して、表示装置７１０にタイマーを０セットする（Ｓ２３）。
【００６４】
そして加熱動作が開始すると、予測時間から割り出された点滅時間Ｔｂ＝ｂの間隔でインジケータ１から順番に点滅から点灯表示を行い（Ｓ２５）、設定温度に達するまでインジケータの点滅、点灯動作を行う。たとえばイメージ番号２０番に対応するインジケータ２０を表示中に、非接触式温度検知手段１１０によって設定温度に達したと検知すれば（Ｓ２６）、順番を飛ばして加熱完了を示すイメージ番号３０を主制御部５０１から表示装置７１０へ伝送し（Ｓ２９）、具体的には図９の加熱時間表示部７０５のすべてのインジケータ１〜２９がすべて点灯した状態を示し、加熱完了表示を行う（Ｓ３０）。
【００６５】
またイメージ番号２９に対応するインジケータ２９の点滅時間を経過後（Ｓ２７）においても、まだ商品が設定温度に達してない場合（Ｓ２８）は、イメージ番号３０を伝送せず、点滅時間Ｔｂに関係なくインジケータ２９の点滅を繰り返して、非接触式温度検知手段１１０の設定温度検知を優先して、設定温度になればイメージ番号３０を主制御部５０１から受けて加熱完了表示に変換されるので、利用者は商品の加熱進捗状態をイメージ的に知ることができ、加熱動作を行っていることをイメージ的に認識できるので不安感を低減することができる。
【００６６】
また今回商品の加熱時間は前回加熱した同一商品の加熱時間を設定して、インジケータの点滅点灯動作を制御しているので、ほぼ同一の加熱時間で加熱されるので、予想以上に加熱時間がかかりインジケータ２９の点滅時間がＴｂを超えて繰り返して点滅表示させることなく点滅時間Ｔｂの間隔で加熱完了までスムーズに表示することができ、無用に待たせることを低減できる。
【００６７】
また加熱時間の設定は前回商品の加熱時間に設定したが、同一商品の前回加熱から複数回分の加熱時間まで遡ってそのうちの最大値を設定してもよい。この最大値に設定することで、加熱完了を示すイメージ番号３０の１つ前のイメージ番号２９に相当するインジケータ２９を、設定温度に加熱されるまで点滅を繰り返して表示するのを抑制し、利用者が無用に待つのを低減することができる。
【００６８】
上記のように最大値を設定したが最小値を設定してもよく、最小値よりも加熱時間が長い場合は、インジケータ２９の点滅を繰り返して表示することになるが、感性的にインジケータを全て点滅時間Ｔｂ間隔で表示して、最後のインジケータ２９の点滅を繰り返して、品質的な点で受入れられるのであれば、最小値を設定してもよい。
【００６９】
実施例では表示部７０４と加熱時間表示部７０５とは電気的に接続されておらず、独立して表示制御をしており、故障等によってどちらかが不能になっても他方の表示制御によって加熱状態を知らせることができる。
【００７０】
そして加熱完了表示になると、誘導加熱装置１００の商品受台１０１の端部に商品取出口１６に連通する開口部を開閉する上下方向に移動可能な開閉部材５０５が、搬出部材（図示しない）の移動とほぼ同時に開閉部材５０５が運転されて下方へ移動し、商品取出口１６と商品受台１０１が連通され、搬出部材の押出しにより、商品取出口１６へ缶商品１８が排出される。その後、搬出部材は待機位置へ戻り、開閉部材５０５は上方へ移動し、商品受台１０１と商品取出口１６間を遮断する。
【００７１】
また、商品取出口１６と誘導加熱装置１００内部との間を仕切る開閉部材５０５の後方には、自動販売機本体１１の商品収納室１１ａの前面に備えた内扉１２ａが形成されている。開閉部材５０５の上方には上部空間を閉じる上部板７０３が形成されている。
【００７２】
また、商品取出口１６を開閉自在に備えたフラップ７００の回転軸７００ａ近傍にはフラップ７００の開閉動作を検知する光センサー７０１が外扉１２側に取り付けられ、透明樹脂製のフラップ７００に光を常に発して、反射有無によって開閉検知するものである。
【００７３】
具体的には、フラップ７００は回転軸７００ａより後方の自動販売機本体１１方向に湾曲する湾曲部７００ｂを形成して商品取出口１６の前面を閉じるように構成されており、湾曲部７００ｂへ光センサー７０１から光を照射することで、フラップ７００の回動動作による湾曲部７００ｂからの光の反射有無でフラップ７００の開閉動作を検知している。
【００７４】
すなわち、光の反射を受光すればフラップ７００は閉じていると判断し、光の反射を受光できなければ、フラップ７００は開いてると判断する。
【００７５】
これによって缶商品を自動的に外部へ搬出することができるので、利用者は誘導加熱装置１００内に手を入れて取出す必要がなく、安全の確保ができる。また搬出部材３００を待機位置に戻すことで、誘導加熱装置１００内に商品が詰まっているかを制御することができる。
【００７６】
また開閉部材５０５で、販売待機時は誘導加熱装置１００と商品取出口１６が遮断された状態にあるので悪戯防止や誘導加熱装置１００内部へ埃や虫等の侵入を防止することができる。また開閉部材５０５の外側に備え、商品受台１０１と商品取出口１６との間をつなぐ連結板５０６を設けることで、商品受台１０１と商品取出口１６との隙間を埋めて連結でき、開閉部材５０５が開いたときに、搬出部材３００によって押出される缶商品１８にかかる外力を低減することができ、商品取出口１６内へスムーズに排出することができる。
【００７７】
またフラップ７００が閉じられれば光センサー７０１によって閉鎖されたことを検知し、開閉部材５０５を開放して、搬出部材によって缶商品１８を商品取出口１６へ排出するので、適温加熱すると同時に、安全性を最優先した自動販売機を提供することができる。
【００７８】
次に、缶商品１８の温度を検知する温度検知手段である非接触式温度検知手段１１０について説明する。
【００７９】
非接触式温度検知手段１１０（例えば赤外線センサー）は、商品受台１０１の長手方向（幅方向）の略中間部で、下部ローラ１０３近傍に配置されている。缶商品は下部ローラ１０３に当接配置するので缶外径の大小にかかわらず缶商品と非接触式温度検知手段１１０との距離をほぼ一定に保つことができる。
【００８０】
また、非接触式温度検知手段１１０を商品受台１０１の長手方向の略中間部に配置するとしたが配置した商品受台１０１の長手方向の下部近傍に配置してもよく、略中間部から位置をずらすことで、缶表面温度の測定精度を向上させることができる。
【００８１】
これは、缶商品に対する誘導加熱コイル１０２の位置関係で、缶商品の長手方向の中央部付近は商品受台１０１に対する誘導加熱コイル１０２の配置構成上、誘導加熱コイル１０２のほぼ中央部に位置するため、最も温度が高くなりやすく、缶商品の長手方向で端へ行くほど低くなる傾向がある。
【００８２】
したがって、缶商品の中央部ほど缶表面温度の変化率が大きいので、幅広い温度範囲を精度よく検知できる非接触式温度検知手段１１０が必要になる。しかしながら、缶商品を適温に検知して加熱を制御できるように非接触式温度検知手段１１０の精度を高めるためには、測定温度範囲を狭くした非接触式温度検知手段１１０を用いて精度を高める必要があり、測定位置を缶商品の中央部からずらした位置、すなわち誘導加熱コイル１０２の端部に対応する位置となる商品受台１０１の長手方向の下部近傍に非接触式温度検知手段１１０を配置することで缶表面温度の測定精度を向上することができ、過熱によるやけど等の安全性を高め、またぬるめ商品による品質の低下を阻止することができる。
【産業上の利用可能性】
【００８３】
以上のように本発明にかかる商品の誘導加熱装置は、商品が加熱されて出来上がるまでの状態をイメージしたアニメーションや履歴に応じた加熱時間を設定して表示するので、商品によって加熱時間が異なる調理器などにも広く適用できる。
【図面の簡単な説明】
【００８４】
【図１】本発明の実施の形態１の自動販売機の斜視図
【図２】同実施の形態の自動販売機の縦断面図
【図３】本発明の実施の形態１の自動販売機における外扉の裏面斜視図
【図４】本発明の自動販売機の制御ブロック図
【図５】本発明の自動販売機の表示部に画像表示される画像データの概略図
【図６】本発明の表示部に画像データが表示されるフローを示すフローチャート
【図７】本発明の加熱時間表示部に画像表示される画像データの概略図
【図８】本発明の加熱時間表示部に画像データが表示されるフローを示すフローチャート
【図９】本発明の加熱時間表示部の概略図
【図１０】従来の自動販売機の画像表示に係るブロック図
【符号の説明】
【００８５】
１１    自動販売機本体
１００  誘導加熱装置
５０１  主制御部
７０４  表示部
７０５  加熱時間表示部
８０４ａ  商品選択ボタン
【図２】
2008282115.tif 000003
【図４】
2008282115.tif 000004
【図５】
2008282115.tif 000005
【図６】
2008282115.tif 000006
【図７】
2008282115.tif 000007
【図８】
2008282115.tif 000008
【図９】
2008282115.tif 000009
【図１０】
2008282115.tif 000010
【図１】
2008282115.tif 000011
【図３】
2008282115.tif 000012